(57)【要約】【課題】  併用禁忌薬が処方された際に、患者に対して警告を促す携帯端末装置を提供する。【解決手段】  非接触ＩＣ部１１のデータメモリ２２には、当該携帯端末装置のユーザが、現在、使用中の薬剤の薬剤名、成分、処方日、有効期限、処方した病院名、処方した病院の担当医師名、処方した病院の連絡先（電話番号や電子メールアドレス）、使用時刻、及び次回の通院日等を含む薬剤情報が記憶されている。非接触ＩＣ部１１の制御部２３は、新たに薬剤が処方されると、この新たに処方された薬剤の薬剤情報と、データメモリ２２に記憶されている、上記ユーザが現在、使用中の薬剤の薬剤情報と、データメモリ２２に記憶されている併用禁忌薬情報とに基づいて、上記新たに処方された薬剤が、上記ユーザが現在、使用中の薬剤に対する併用禁忌薬に該当するか否かを判別し、併用禁忌薬に該当する場合に、当該携帯電話機の制御部１４を介してその警告制御を行う。【選択図】  図１
2007241404.tif 000002
【特許請求の範囲】
【請求項１】
併用禁忌薬情報が記憶された併用禁忌薬情報記憶手段と、
少なくとも、現在、使用中の薬剤の使用中薬剤情報、及びこの使用中の薬剤の処方元の連絡先を示す連絡先情報が記憶された使用薬剤情報記憶手段と、
上記現在、使用中の薬剤と併用する薬剤の併用薬剤情報を取り込むための薬剤情報取り込み手段と、
上記薬剤情報取り込み手段を介して取り込まれた併用薬剤情報と、上記使用薬剤情報記憶手段に記憶されている使用中薬剤情報とに基づいて、上記併用禁忌薬情報記憶手段に記憶されている併用禁忌薬情報を参照することで、上記現在、使用中の薬剤に対して、上記併用する薬剤が禁忌薬に該当するか否かを判別する禁忌薬判別手段と、
上記禁忌薬判別手段により、上記併用する薬剤が禁忌薬に該当することが判別された際に、該併用する薬剤が、現在、使用中の薬剤に対する禁忌薬であることを報知するように報知手段を制御し、及び／又は、上記使用薬剤情報記憶部から上記連絡先情報を読み出して報知するように上記報知手段を制御する制御手段と
を有する携帯端末装置。
【請求項２】
請求項１に記載の携帯端末装置であって、
無線通信手段を有し、
上記制御手段は、上記禁忌薬判別手段により、上記併用する薬剤が禁忌薬に該当することが判別された際に、上記使用薬剤情報記憶部から上記連絡先情報を読み出し、この連絡先に対して電話を自動発信し、或いは該連絡先に対して禁忌薬に該当する薬剤が処方されたことを示す電子メールを送信するように上記無線通信手段を制御すること
を特徴とする携帯端末装置。
【請求項３】
請求項１又は請求項２に記載の携帯端末装置であって、
所望のスケジュールを登録するためのスケジュール帳と、
現在時刻をカウントする計時手段を有し、
上記使用中薬剤情報及び上記併用薬剤情報には、その薬剤を処方した病院の病院名を示す病院名情報、及び次回の通院日時を示す通院日時情報が含まれており、
上記制御手段は、上記スケジュール帳における上記次回通院日時情報で示される次回通院日時に対応する日付のスケジュールとして、上記病院名情報で示される病院に通院するスケジュールを登録すると共に、上記計時手段でカウントされる現在時刻に基づいて、上記病院に通院するスケジュールを監視し、上記現在時刻が、上記次回通院日に属することとなった際に、上記報知手段を介して通院を促す報知を行うこと
を特徴とする携帯端末装置。
【請求項４】
請求項３に記載の携帯端末装置であって、
上記使用中薬剤情報及び上記併用薬剤情報には、その薬剤の使用時刻を示す使用時刻情報、及び／又は、その薬剤の有効期限日を示す有効期限情報が含まれており、
上記制御手段は、上記計時手段でカウントされる現在時刻が、上記使用時刻情報で示される上記使用時刻となった際に、上記報知手段を介してその薬剤の使用を促す報知を行い、及び／又は、上記計時手段でカウントされる現在時刻が、上記有効期限情報で示される上記有効期限日を経過した際に、上記報知手段を介してその薬剤の有効期限が切れたことを示す報知を行うこと
を特徴とする携帯端末装置。
【請求項５】
少なくとも、現在、使用中の薬剤の使用中薬剤情報が記憶された使用薬剤情報記憶手段を備えた携帯端末装置と通信を行うことで、上記使用薬剤情報記憶手段に記憶されている上記使用中薬剤情報を取り込む通信手段と、
併用禁忌薬情報が記憶された併用禁忌薬情報記憶手段と、
上記通信手段を介して上記携帯端末装置の上記使用薬剤情報記憶手段から取り込んだ上記使用中薬剤情報に基づいて、上記併用禁忌薬情報記憶手段に記憶されている併用禁忌薬情報を参照することで、上記現在、使用中の薬剤に対して禁忌薬に該当する薬剤を検出する禁忌薬検出手段と、
少なくとも、上記通信手段により上記携帯端末装置から取り込まれた使用中薬剤情報、及び上記禁忌薬検出手段により検出された上記禁忌薬の薬剤情報を表示手段に表示制御する制御手段と
を有する処方薬剤選択補助装置。
【請求項６】
請求項５に記載の処方薬剤選択補助装置であって、
上記携帯端末装置の使用薬剤情報記憶手段には、現在、使用中の薬剤の処方元の連絡先を示す連絡先情報が記憶されており、
上記通信手段は、上記使用中薬剤情報と共に、上記連絡先情報の取り込みを行い、
上記制御手段は、上記使用中薬剤情報及び上記禁忌薬の薬剤情報と共に、上記連絡先情報を上記表示手段に表示制御すること
を特徴とする処方薬剤選択補助装置。
【請求項７】
請求項５又は請求項６に記載の処方薬剤選択補助装置であって、
処方する薬剤の薬剤情報を取り込む処方薬剤情報取り込み手段を有し、
上記禁忌薬検出手段は、上記通信手段を介して上記携帯端末装置の上記使用薬剤情報記憶手段から取り込んだ上記使用中薬剤情報と、上記処方薬剤情報取り込み手段を介して取り込まれた処方する薬剤の薬剤情報とに基づいて、上記併用禁忌薬情報記憶手段に記憶されている併用禁忌薬情報を参照することで、上記処方する薬剤が、上記現在、使用中の薬剤に対して禁忌薬に該当するか否かを判別し、
上記制御手段は、上記禁忌薬検出手段からの判別結果を上記表示手段に表示制御すること
を特徴とする処方薬剤選択補助装置。
【発明の詳細な説明】
【技術分野】
【０００１】
本発明は、例えば非接触無線通信機能や近距離無線通信機能を備えた携帯電話機、ＰＨＳ電話機（PHS：Personal Handyphone System）、ＰＤＡ装置（PDA：Personal Digital Assistant）、或いはノート型のパーソナルコンピュータ装置等に適用して好適な携帯端末装置、及び医師や薬剤師が薬剤を処方する際に用いて好適な処方薬剤選択補助装置に関し、特に現在、使用している薬剤に対して禁忌薬に相当する薬剤の使用や処方を防止可能とした携帯端末装置、及び処方薬剤選択補助装置に関する。
【背景技術】
【０００２】
特開２００４−７８８２５号の公開特許公報（特許文献１）に、ＩＣカードによる電子処方箋システムが開示されている。この電子処方箋システムでは、医師や薬剤師が書き込み可能なＩＣカードを、診察券や薬歴付き電子処方箋として用い、また、患者が当該ＩＣカードを携帯電話機のような端末機器に接続することで、投薬時間の報知等を行うことが提案されている。
【０００３】
【特許文献１】特開２００４−７８８２５号公報（第５頁〜第６頁：図１）
【発明の開示】
【発明が解決しようとする課題】
【０００４】
ここで、病院から処方される薬剤の中には、飲み合わせの悪い薬（禁忌薬）が存在する。しかし、複数の病院に通院することで各病院からそれぞれ薬剤が処方された場合、新たに処方された薬剤が、現在、使用中の薬剤に対して禁忌薬に該当するか否かを患者が判別することは困難である。
【０００５】
また、医師が処方する薬剤を選択する段階や、薬局側で薬剤を患者に手渡す前の段階で、医師や薬局側において、その患者が現在、使用している薬剤の禁忌薬に該当しない薬剤を選択して処方することが好ましい。
【０００６】
本発明は上述の課題に鑑みてなされたものであり、新たに処方された薬剤が、現在、使用中の薬剤に対して禁忌薬に該当するか否かを簡単に判別することができるような携帯端末装置、及び処方薬剤選択補助装置の提供を目的とする。
【課題を解決するための手段】
【０００７】
本発明に係る携帯端末装置は、上述の課題を解決するための手段として、
併用禁忌薬情報が記憶された併用禁忌薬情報記憶手段と、
少なくとも、現在、使用中の薬剤の使用中薬剤情報、及びこの使用中の薬剤の処方元の連絡先を示す連絡先情報が記憶された使用薬剤情報記憶手段と、
上記現在、使用中の薬剤と併用する薬剤の併用薬剤情報を取り込むための薬剤情報取り込み手段と、
上記薬剤情報取り込み手段を介して取り込まれた併用薬剤情報と、上記使用薬剤情報記憶手段に記憶されている使用中薬剤情報とに基づいて、上記併用禁忌薬情報記憶手段に記憶されている併用禁忌薬情報を参照することで、上記現在、使用中の薬剤に対して、上記併用する薬剤が禁忌薬に該当するか否かを判別する禁忌薬判別手段と、
上記禁忌薬判別手段により、上記併用する薬剤が禁忌薬に該当することが判別された際に、該併用する薬剤が、現在、使用中の薬剤に対する禁忌薬であることを報知するように報知手段を制御し、及び／又は、上記使用薬剤情報記憶部から上記連絡先情報を読み出して報知するように上記報知手段を制御する制御手段と
を有する。
【０００８】
このような本発明に係る携帯端末装置は、禁忌薬判別手段が、薬剤情報取り込み手段を介して取り込まれた併用薬剤情報と、使用薬剤情報記憶手段に記憶されている使用中薬剤情報とに基づいて、併用禁忌薬情報記憶手段に記憶されている併用禁忌薬情報を参照することで、現在、使用中の薬剤に対して、併用する薬剤が禁忌薬に該当するか否かを判別する。そして、この禁忌薬判別手段により、上記併用する薬剤が禁忌薬に該当することが判別された際に、制御手段が、該併用する薬剤が、現在、使用中の薬剤に対する禁忌薬であることを報知するように報知手段を制御する。これにより、現在、使用中の薬剤に対する禁忌薬が処方される不都合を防止する。
【０００９】
また、本発明に係る携帯端末装置は、禁忌薬判別手段により、上記併用する薬剤が禁忌薬に該当することが判別された際に、制御手段が、使用薬剤情報記憶部から、使用中の薬剤の処方元の連絡先を示す連絡先情報を読み出して、例えばモニタ表示する等の報知制御を行う。これにより、現在、使用中の薬剤の処方元に対して、該使用中の薬剤に対する問い合わせ等を行うことを可能とし、医師が新たに処方する薬剤を選択する際の補助を図る。
【００１０】
また、本発明に係る処方薬剤選択補助装置は、上述の課題を解決するための手段として、
少なくとも、現在、使用中の薬剤の使用中薬剤情報が記憶された使用薬剤情報記憶手段を備えた携帯端末装置と通信を行うことで、上記使用薬剤情報記憶手段に記憶されている上記使用中薬剤情報を取り込む通信手段と、
併用禁忌薬情報が記憶された併用禁忌薬情報記憶手段と、
上記通信手段を介して上記携帯端末装置の上記使用薬剤情報記憶手段から取り込んだ上記使用中薬剤情報に基づいて、上記併用禁忌薬情報記憶手段に記憶されている併用禁忌薬情報を参照することで、上記現在、使用中の薬剤に対して禁忌薬に該当する薬剤を検出する禁忌薬検出手段と、
少なくとも、上記通信手段により上記携帯端末装置から取り込まれた使用中薬剤情報、及び上記禁忌薬検出手段により検出された上記禁忌薬の薬剤情報を表示手段に表示制御する制御手段と
を有する。
【００１１】
このような本発明に係る処方薬剤選択補助装置は、禁忌薬検出手段が、通信手段を介して携帯端末装置の使用薬剤情報記憶手段から取り込んだ使用中薬剤情報に基づいて、併用禁忌薬情報記憶手段に記憶されている併用禁忌薬情報を参照することで、現在、使用中の薬剤に対して禁忌薬に該当する薬剤を検出する。そして、制御手段が、上記通信手段により上記携帯端末装置から取り込まれた使用中薬剤情報、及び上記禁忌薬検出手段により検出された上記禁忌薬の薬剤情報を表示手段に表示制御する。
【００１２】
これにより、医師は、携帯端末装置のユーザが、現在、使用している薬剤の薬剤情報と、この現在、使用している薬剤の禁忌薬に該当する薬剤情報とを、表示手段を介して認識することが可能となり、薬剤の処方前の段階で、禁忌薬に該当する薬剤が処方される不都合を防止することができる。
【発明の効果】
【００１３】
本発明は、新たに処方された薬剤が、現在、使用中の薬剤に対して禁忌薬に該当するか否かを簡単に判別することができる。
【００１４】
また、本発明は、薬剤の処方前の段階で、禁忌薬に該当する薬剤が処方される不都合を防止することができる。
【発明を実施するための最良の形態】
【００１５】
本発明は、患者側となる各ユーザが携帯する携帯電話機、及び医師や薬局等の薬剤を処方する側に設けられる処方薬剤選択補助装置を備えた薬剤情報提供システムに適用することができる。
【００１６】
［携帯電話機の構成］
まず、この本発明の実施の形態となる薬剤情報提供システムで用いられる携帯電話機は、図１に示すように基地局との間で無線通信を行うアンテナ１及び通信回路２と、着信音や受話音声等の音響出力を得るためのスピーカ部３と、送話音声を集音するマイクロホン部４と、画像（動画像、静止画像等）や文字の他、当該携帯電話機のユーザが、現在、使用中の薬剤（飲み薬、塗り薬、貼り薬等）の薬剤情報、この現在、使用中の薬剤に対する併用禁忌薬の併用禁忌薬情報、及び現在、使用中の薬剤を処方した処方元の電話番号や電子メールアドレス等の連絡先情報等を表示するための表示部５とを有している。
【００１７】
また、この携帯電話機は、文字等の入力操作や所望のメニューの選択操作等を行うための操作部６と、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９と、例えば通信距離が２０ｃｍ等の非接触通信を行う非接触通信アンテナ１０、及び併用禁忌薬情報等が記憶された非接触ＩＣ部１１と（IC：Integrated Circuit）、現在時刻をカウントするタイマ１２と、各種プログラムや情報等が記憶されたメモリ１３と、当該携帯電話機全体の動作を制御する制御部１４とを有している。
【００１８】
上記メモリ１３には、基地局を介した無線通信処理を行うための通信処理プログラム（コミュニケーションプログラム）、カメラ部８を撮像制御するためのカメラ制御プログラム、音楽データを再生するための音楽プレーヤプログラム、この音楽プレーヤプログラムで再生される音楽データ、ユーザの所望の日時に所望のスケジュールが登録されたスケジュール帳、各ユーザの電話番号や電子メールアドレス等が登録された電話帳、発着信した電子メールのデータ、電話や電子メールの発着信履歴等が記憶されている。
【００１９】
上記非接触ＩＣ部１１は、非接触通信制御を行うための非接触通信プログラムや、後に説明する薬剤情報の処理を行うための薬剤情報処理プログラムが記憶されたプログラムメモリ２１と、併用すると悪影響を及ぼすおそれのある薬剤同士が既定された併用禁忌薬情報や、当該携帯電話機のユーザが現在、使用している薬剤の薬剤名、成分、処方日、有効期限、処方した病院名、処方した病院の担当医師名、処方した病院の連絡先（電話番号や電子メールアドレス）、例えば６時間置き、朝・就寝前等の使用時刻、次回の通院日時等の薬剤情報が記憶されたデータメモリ２２と、外部のリーダライタ装置や当該携帯電話機の制御部１４との間で行う通信制御や情報処理制御を行う制御部２３とを有している。
【００２０】
データメモリ２２に記憶される併用禁忌薬情報は、例えばインターネット上や当該携帯電話機の通信事業者のコミュニケーションネットワーク上等の所定のネットワーク上に設けられたサーバ装置から、通信回路２を介してダウンロードされ該データメモリ２２に記憶されるようになっている。なお、この併用禁忌薬情報は、予めデータメモリ２２に記憶させておいてもよい。また、ユーザが所定のタイミングで上記サーバ装置にアクセスして最新の併用禁忌薬情報に更新するようにしてもよい。
【００２１】
［処方薬剤選択補助装置の構成］
次に、この本発明の実施の形態となる薬剤情報提供システムにおいて、医師や薬局等の薬剤を処方する側に設けられる処方薬剤選択補助装置は、上記携帯電話機に設けられた非接触ＩＣカード１１との間で非接触通信を行う非接触通信アンテナ３１及び非接触通信部３２と、この非接触通信部３２における非接触通信を制御するための非接触通信プログラムや、後に説明する薬剤情報の処理を行うための薬剤情報処理プログラムの他、併用すると悪影響を及ぼすおそれのある薬剤同士が既定された併用禁忌薬情報データベース３３と、非接触通信により患者の携帯電話機から取り込んだ上記薬剤情報を記憶するメモリ３４とを有している。
【００２２】
また、この処方薬剤選択補助装置は、上記非接触通信プログラムに基づく非接触通信制御や、上記薬剤情報処理プログラムに基づく情報処理制御等を行う制御部３５と、この薬剤情報処理プログラムに基づく情報処理結果をモニタ装置３７に出力する出力部３６とを有している。
【００２３】
［実施の形態の動作］
このような薬剤情報提供システムにおいては、医師や薬局等の薬剤を処方する側が、各薬剤の薬剤名、成分、処方日、有効期限、処方した病院名、処方した病院の担当医師名、処方した病院の連絡先（電話番号や電子メールアドレス）、及び使用時刻等の各情報を電子化し、処方を行う際に、この処方する各薬剤の上記薬剤名や処方日等と共に次回の通院日時を示す情報を「薬剤情報」として、当該薬剤を処方する側の非接触通信装置に供給する。
【００２４】
この非接触通信装置に供給された薬剤情報は、図１に示す患者の携帯電話機の非接触通信アンテナ１０が近接された際に、近距離無線通信により非接触ＩＣ部１１に取り込まれる。
【００２５】
なお、上記医師や薬局等の薬剤が処方する側において、該処方する薬剤に対して、タグ情報や二次元バーコード等のかたちで薬剤情報を付しておき、患者側は、薬剤が処方された際に、その薬剤に付されているタグ情報や二次元バーコードをカメラ部８（或いはバーコードリーダでもよい。）で撮像し、制御部１４が、この撮像画像を解析することで各薬剤の薬剤情報を検出し、非接触ＩＣ部１１側に転送するようにしてもよい。
【００２６】
非接触ＩＣ部１１の制御部２３は、薬剤情報が取り込まれると、プログラムメモリ２１に記憶されている非接触通信プログラムに基づいて、該取り込んだ薬剤情報をデータメモリ２２に記憶制御する。
【００２７】
このようにデータメモリ２２に取り込まれた薬剤情報は、患者が所望のタイミングで表示させることができる。具体的には、患者が携帯電話機の操作部６を操作することで薬剤情報の表示を指定すると、当該携帯電話機の制御部１４は、非接触ＩＣ部１１の制御部２３に対して薬剤情報の転送要求を行う。この転送要求がなされると、非接触ＩＣ部１１の制御部２３は、データメモリ２２に記憶されている薬剤情報を読み出し、これを当該携帯電話機の制御部１４に転送する。当該携帯電話機の制御部１４は、非接触ＩＣ部１１の制御部２３から上記薬剤情報を受信すると、これを表示部５に表示制御する。これにより、患者は、表示部５を介して、処方された薬剤の成分、有効期限、使用時刻等を確認することができる。
【００２８】
〔携帯電話機における併用禁忌薬に対する報知動作〕
次に、同じ病院に複数回通院することで、或いは異なる病院にそれぞれ通院することで、上記データメモリ２２には、各通院毎に処方された薬剤の薬剤情報がそれぞれ記憶されることとなる。そして、通常、各病院では、患者が現在、使用している薬剤をそれ程考慮することなく薬剤の処方を行うため、現在、使用している薬剤に体する併用禁忌薬が処方されるおそれがある。このような不都合を防止するため、当該薬剤情報提供システムでは、携帯電話機側において、現在、使用している薬剤に対する併用禁忌薬が処方された際に報知動作を行うようになっている。
【００２９】
具体的には、非接触ＩＣ部１１の制御部２３は、新たに処方された薬剤の薬剤情報をデータメモリ２２に記憶制御すると、この新たに処方された薬剤の薬剤情報、及び過去に処方された薬剤の薬剤情報に基づいて、データメモリ２２に記憶されている併用禁忌薬情報を参照する。そして、制御部２３は、この併用禁忌薬情報を参照することで、上記新たに処方された薬剤が、過去に処方された薬剤の併用禁忌薬に該当するか否かを判別する。
【００３０】
過去に処方された薬剤は、その患者が現在、使用中の薬剤である可能性が高い。このため、新たに処方された薬剤が、過去に処方された薬剤の併用禁忌薬に該当すると判別した場合、制御部２３は、当該携帯電話機の制御部１４に対して、併用禁忌薬に該当する薬剤が処方されたことを示す上記判別結果を送信する。
【００３１】
当該携帯電話機の制御部１４は、併用禁忌薬に該当する薬剤が処方されたことを示す判別結果を受信すると、新たに処方された薬剤が併用禁忌薬に該当することを示す警告音や警告メッセージをスピーカ部３を介して発音制御する。また、制御部１４は、この発音制御と共に、新たに処方された薬剤が併用禁忌薬に該当することを示す発光パターンで発光部７を発光制御する。さらに、制御部１４は、新たに処方された薬剤が併用禁忌薬に該当することを示す警告メッセージを表示部５に表示制御する。
【００３２】
このように、新たな薬剤が処方された際に、併用禁忌薬に該当する薬剤が処方されたことを上記警告メッセージ等で患者に対して報知することで、薬剤を処方する側から患者側に併用禁忌薬が処方される前、或いは処方後であっても、患者が併用禁忌薬を使用する前に、該併用禁忌薬が処方されたことを報知することができる。このため、患者が、誤って併用禁忌薬を使用する不都合を防止することができる。
【００３３】
なお、この例では、スピーカ部３からの併用禁忌薬に該当することを示す警告音や警告メッセージの発音制御、併用禁忌薬に該当することを示す発光パターンでの発光部７の発光制御、表示部５を介した併用禁忌薬に該当することを示す警告メッセージの表示制御を全て行うこととしたが、このうちの一つの制御を実行するようにしてもよいし、いずれか二つの制御を実行するようにしてもよい。
【００３４】
〔使用中の薬剤の処方元に対する連絡先の表示及び自動連絡動作〕
次に、非接触ＩＣ部１１の制御部２３は、上述のように、新たに処方された薬剤が、過去に処方された薬剤の併用禁忌薬に該当すると判別した場合、当該携帯電話機の制御部１４に対して、新たに処方された薬剤が、現在、使用中の薬剤の併用禁忌薬に該当することを示す判別結果を送信するのであるが、これと共に、過去に処方された薬剤の薬剤情報に含まれている、上記過去の薬剤を処方した病院の連絡先を示す情報（電話番号や電子メールアドレス）を読み出し、これを当該携帯電話機の制御部１４に転送する。
【００３５】
当該携帯電話機の制御部１４は、上記併用禁忌薬であることを示す判別結果を得た場合、上述の警告メッセージの表示制御等を実行制御するのであるが、これと共に非接触ＩＣ部１１の制御部２３から転送された、上記過去の薬剤を処方した病院の連絡先を示す情報（電話番号や電子メールアドレス）を表示部５に表示制御すると共に、例えば「処方元に電話を掛けますか？  Ｙｅｓ／Ｎｏ」、或いは「処方元に電子メールを送信しますか？  Ｙｅｓ／Ｎｏ」等の、処方元に対する連絡を行うか否かを問うメッセージを表示部５に表示制御する。
【００３６】
そして、このメッセージに対応して、処方元に対する電話発信が選択操作された場合（＝「処方元に電話を掛けますか？」のメッセージに対して「Ｙｅｓ」が選択操作された場合）、当該携帯電話機の制御部１４は、非接触ＩＣ部１１の制御部２３から転送された上記処方元の電話番号に対して電話発信を行うように通信回路２を発信制御する。これにより、患者は、現在、使用中の薬剤を処方した処方元に対して連絡をとることができ、併用禁忌薬に対する電話相談等を行うことができる。
【００３７】
或いは、上記メッセージに対応して、処方元に対する電子メールの送信が選択操作された場合（＝「処方元に電子メールを送信しますか？」のメッセージに対して「Ｙｅｓ」が選択操作された場合）、当該携帯電話機の制御部１４は、当該処方元が処方した薬剤に対する併用禁忌薬が、新たに処方された旨の文章の電子メールを自動作成し、これを非接触ＩＣ部１１の制御部２３から転送された上記処方元の電子メールアドレスに対して送信するように通信回路２を発信制御する。これにより、上記電話の場合と同様に、患者は、現在、使用中の薬剤を処方した処方元に対して連絡をとることができ、併用禁忌薬に対する相談等を行うことができる。
【００３８】
〔スケジュール帳に対する次回通院日時の自動登録及び報知動作〕
次に、当該携帯電話機は、メモリ１３に記憶されているスケジュール帳に対して、次回の通院日時を自動的に登録すると共に、通院日となった際に報知を行うようになっている。
【００３９】
具体的には、上記薬剤情報には、その薬剤を処方した病院の「病院名」、及び「次回の通院日時」を示す情報が含まれている。このため、非接触ＩＣ部１１の制御部２３は、データメモリ２２に薬剤情報を記憶制御した際、薬剤情報処理プログラムに基づいて、この薬剤情報に含まれる「病院名」及び「次回の通院日時」を示す各情報を、当該携帯電話機の制御部１４に転送する。
【００４０】
当該携帯電話機の制御部１４は、この「病院名」及び「次回の通院日時」を示す各情報が転送されると、メモリ１３に記憶されているスケジュール帳のうち、「次回の通院日時」に相当するスケジュールの登録欄に、病院名及び通院時刻を自動登録する。
【００４１】
また、制御部１４は、この自動登録と共に、タイマ１２でカウントされている計時情報に基づいて、上記自動登録した通院日のスケジュールの監視を開始する。そして、タイマ１２でカウントされた現在時刻が、上記自動登録した通院日に属することとなった際に、例えば「今日は１０時に○○病院に通院です。」等の通院を促すメッセージを表示部５に表示制御する。これにより、患者が次回の通院日を忘却する不都合を防止して、通院の補助を行うことができる。
【００４２】
〔薬剤の使用タイミング及び有効期限切れの報知動作〕
次に、当該携帯電話機は、処方された薬剤を使用するタイミング及び有効期限切れの報知を行うようになっている。
【００４３】
具体的には、上記薬剤情報には、その薬剤の「使用時刻」及び「有効期限」を示す情報が含まれている。このため、非接触ＩＣ部１１の制御部２３は、タイマ１２でカウントされている計時情報に基づいて、上記薬剤の「使用時刻」及び「有効期限」の監視を行う。そして、タイマ１２でカウントされた現在時刻が上記薬剤の「使用時刻」となった際に、当該携帯電話機の制御部１４に対して、薬剤の使用時刻の報知要求を行う。
【００４４】
この報知要求がなされると、当該携帯電話機の制御部１４は、例えば「薬の服用の時間です。」等の、処方された薬剤の使用を促すメッセージを表示部５に表示制御すると共に、該薬剤の使用を報知するための電子音をスピーカ部３を介して発音制御する。これにより、患者に対して、医師が指定した時刻毎に薬剤を使用させることができる。
【００４５】
なお、薬剤の使用を促すメッセージをスピーカ部３を介して発音制御してもよいし、発光部７の発光制御を併用してもよい。
【００４６】
また、非接触ＩＣ部１１の制御部２３は、このような使用時刻の監視と共に、タイマ１２でカウントされている計時情報に基づいて、上記薬剤の「有効期限」の監視を行う。そして、タイマ１２でカウントされた現在時刻が上記薬剤の「有効期限」で示される日の次の日に属することとなった際に、当該携帯電話機の制御部１４に対して、薬剤の有効期限切れの報知要求を行う。
【００４７】
この報知要求がなされると、当該携帯電話機の制御部１４は、例えば「薬の有効期限が切れました。」等の、処方された薬剤の有効期限切れを示すメッセージを表示部５に表示制御すると共に、該薬剤の有効期限切れを報知するための電子音をスピーカ部３を介して発音制御する。これにより、患者に対して、処方された薬剤の有効期限切れを知らせることができる。
【００４８】
なお、薬剤の有効期限切れを示すメッセージをスピーカ部３を介して発音制御してもよいし、発光部７の発光制御を併用してもよい。また、この例では、薬剤の「有効期限」で示される日の次の日に属することとなった際に、薬剤の有効期限切れの報知制御を行うこととしたが、これは、薬剤の「有効期限」で示される日の例えば３日前や１週間前等のように、薬剤の有効期限切れが近くなった際に、薬剤の有効期限切れが近いことを示す報知制御を行うようにしてもよい。
【００４９】
〔実施の形態の薬剤情報提供システムにおける携帯電話機の効果〕
以上の説明から明らかなように、この実施の形態の薬剤情報提供システムで用いられる携帯電話機は、医師や薬局等から薬剤が処方された際に、その薬剤の薬剤名、成分、処方日、有効期限、処方した病院名、処方した病院の担当医師名、処方した病院の連絡先（電話番号や電子メールアドレス）、使用時刻、及び次回の通院日等の各情報を非接触ＩＣ部１１を介して取り込む。そして、非接触ＩＣ部１１の制御部２３が、データメモリ２２に記憶されている併用禁忌薬情報に基づいて、過去に処方され、現在、使用中の薬剤と、新たに処方された薬剤に対して、新たに処方された薬剤が併用禁忌薬に該当するか否かを判別し、併用禁忌薬に該当する場合に、当該携帯電話機の制御部１４を介してその報知制御を行う。
【００５０】
これにより、患者（＝当該携帯電話機のユーザ）は、併用禁忌薬に該当する薬剤が処方された際、或いは併用禁忌薬に該当する薬剤を使用する前に、新たに処方された薬剤が併用禁忌薬であることを認識することができ、該併用禁忌薬を使用する不都合を事前に防止することができる。
【００５１】
また、非接触ＩＣ部１１の制御部２３は、併用禁忌薬が処方されたことを検出した際に、当該携帯電話機の制御部１４を介して、現在、使用中の薬剤を処方した病院の連絡先を示す情報（電話番号や電子メールアドレス）を表示部５に表示する。そして、制御部１４は、ユーザから指定された際に、電話を自動発信し、或いは電子メールを自動送信する。これにより、患者は、現在、使用中の薬剤を処方した処方元に対して連絡をとることができ、併用禁忌薬に対して電話や電子メールで相談等を行うことができる。
【００５２】
また、当該携帯電話機は、メモリ１３に記憶されているスケジュール帳に対して、次回の通院日時を自動的に登録すると共に、通院日となった際に報知を行う。これにより、患者が次回の通院日を忘却する不都合を防止して、通院の補助を行うことができる。
【００５３】
また、当該携帯電話機は、処方された薬剤を使用するタイミング及び有効期限切れを監視し、処方された薬剤を使用する時刻となった際、或いは処方された薬剤が有効期限切れとなった際に、それぞれ報知を行う。これにより、患者に対して、処方された薬剤の使用を促すことができ、また、有効期限切れを知らせることができる。
【００５４】
［処方薬剤選択補助装置における報知動作］
次に、この本発明の実施の形態となる薬剤情報提供システムでは、医師や薬局等から薬剤を処方する際、或いは処方する薬剤を選択する際に、該医師や薬局等に設けられている処方薬剤選択補助装置において併用禁忌薬を表示して、医師や薬局等に対して処方の際の注意を促すようになっている。
【００５５】
例えば、医師は患者を診察する際に、患者の携帯電話機の非接触ＩＣ部１１のデータメモリ２２に記憶されている、その患者が現在、使用中の薬剤に対応する薬剤情報を処方薬剤選択補助装置に送信するように命ずる。
【００５６】
この命に対応して患者は、携帯電話機の非接触ＩＣ部１１を、図２に示す処方薬剤選択補助装置に翳し、現在、使用中の薬剤に対応する薬剤情報を送信する。この携帯電話機側から送信された薬剤情報は、薬剤情報処理プログラムに基づいて、処方薬剤選択補助装置の非接触通信アンテナ３１及び非接触通信部３２を介して当該処方薬剤選択補助装置内に取り込まれ制御部３５に転送される。制御部３５は、上記薬剤情報処理プログラムに基づいて、患者の携帯電話機から取り込んだ薬剤情報をメモリ３４に記憶制御すると共に、この薬剤情報を映像信号に変換して出力部３６を介してモニタ装置３７に供給する。
【００５７】
また、制御部３５は、併用禁忌薬情報データベース３３に記憶されている併用禁忌薬情報に基づいて、患者の携帯電話機から取り込んだ薬剤情報に対応する併用禁忌薬（＝患者が現在、使用中の薬剤に対する併用禁忌薬）を検出し、この併用禁忌薬情報を映像信号に変換して上記出力部３６を介してモニタ装置３７に送信する。
【００５８】
これにより、モニタ装置３７には、図３に示すように、その患者が現在、使用している薬剤に関する、例えば薬剤名、成分、処方日、有効期限、処方した病院名、処方した病院の担当医師名、処方した病院の連絡先（電話番号や電子メールアドレス）、使用時刻、及び次回の通院日等の各情報が表示され、また、この現在、使用している薬剤に対して併用禁忌薬に該当する薬剤の一覧が表示される。
【００５９】
医師は、この併用禁忌薬の一覧を参照して、その患者が現在、使用中の薬剤に対して併用禁忌薬に該当しない薬剤を選択し処方箋を作成する。また、場合によっては、医師は、モニタ装置３７に表示されている「処方した病院の連絡先」及び「処方した病院の担当医師名」に基づいて、その患者が、現在、使用中の薬剤を処方した病院の担当医師に対して電話や電子メールで連絡をとり、患者の病状や処方した薬剤に関する情報を聞いたうえで、処方箋を作成する。これにより、医師は、その患者が現在、使用中の薬剤を認識したうえで処方箋を作成することができ、誤って併用禁忌薬を処方してしまう不都合を事前に防止することができる。
【００６０】
なお、この例は、医師が処方箋を作成する際に、患者が現在、使用中の薬剤と、この薬剤に対する併用禁忌薬を医師に対して認識させる例であったが、薬局側において、医師の処方箋に基づいて薬剤を処方する際に、患者が現在、使用中の薬剤と、この薬剤に対する併用禁忌薬を認識して、併用禁忌薬の処方を防止するようにしてもよい。この場合、薬局側では、処方箋の記載に併用禁忌薬が含まれていた場合は、医師に対して処方する薬剤の変更を求め、併用禁忌薬を含まないように記載が変更された新たな処方箋に基づいて薬剤の処方を行うこととなる。
【００６１】
また、医師は、その患者に対して処方する薬剤が併用禁忌薬に該当するか否かを確認したい場合、該処方しようとしている薬剤の薬剤名や成分等の薬剤情報を入力し、操作部を操作して、その患者が現在、使用中の薬剤に対する併用禁忌薬に該当するか否かの照合要求を行う。この照合要求がなされると、制御部３５は、上記入力された処方しようとしている薬剤の薬剤情報と、併用禁忌薬情報データベース３３に記憶されている併用禁忌薬情報と、メモリ３４に記憶されている、その患者が現在、使用中の薬剤の薬剤情報とに基づいて、該処方しようとしている薬剤が、その患者が現在、使用中の薬剤に対して併用禁忌薬に該当するか否かを判別し、この判別結果を出力部３６を介してモニタ装置３７に表示制御する。これにより、医師は、処方しようとしている薬剤が、その患者が現在、使用中の薬剤に対する併用禁忌薬に該当するか否かを認識することができ、誤って併用禁忌薬を処方してしまう不都合を事前に防止することができる。
【００６２】
〔実施の形態の薬剤情報提供システムにおける処方薬剤選択補助装置の効果〕
以上の説明から明らかなように、この実施の形態の薬剤情報提供システムで用いられる処方薬剤選択補助装置は、患者の携帯電話機から、その患者が現在、使用中の薬剤の薬剤情報を取り込み、この薬剤情報と共に、該現在、使用中の薬剤の併用禁忌薬を検索してモニタ装置３７に表示する。これにより、医師や薬局等の薬剤を処方する側は、その患者が現在、使用中の薬剤及びこの使用中の薬剤に対する併用禁忌薬を認識したうえで薬剤の処方を行うことができ、誤って併用禁忌薬を処方する不都合を防止することができる。
【００６３】
また、患者の携帯電話機から取り込んだ、その患者が現在、使用中の薬剤を処方した病院の連絡先をも表示するようになっているため、医師等は、薬剤の処方箋を作成する際に、その患者が現在、使用中の薬剤を処方した病院から、該患者の病状や処方した薬剤に関する情報を聞いたうえで、処方箋を作成することができる。これにより、誤って併用禁忌薬を処方してしまう不都合を事前に防止することができる。
【００６４】
また、処方しようとしている薬剤の薬剤名や成分等の薬剤情報を入力すると、その処方しようとしている薬剤が、患者が現在、使用中の薬剤に対して併用禁忌薬に該当するか否かを自動判別し、この判別結果をモニタ装置３７に表示するようになっているため、医師等が誤って併用禁忌薬を処方してしまう不都合を事前に防止することができる。
【００６５】
［変形例］
上述の実施の形態の説明では、通信距離が例えば２０ｃｍ等の非接触通信を用いて薬剤情報の通信を行うこととしたが、これは、例えば通信距離が例えば１０ｍ、５０ｍ、１００ｍ等の近距離無線通信を用いて薬剤情報の通信を行うようにしてもよい。この場合でも、上述と同じ効果を得ることができる。
【００６６】
上述の実施の形態の説明では、携帯電話機を用いることとしたが、この他、上記非接触通信機能や近距離無線通信機能が設けられたＰＨＳ電話機（PHS：Personal Handyphone System）、ＰＤＡ装置（PDA：Personal Digital Assistant）、ノート型のパーソナルコンピュータ装置等の他の携帯端末装置を用いるようにしてもよい。この場合でも、上述と同じ効果を得ることができる。
【００６７】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００６８】
【図１】本発明を適用した実施の形態となる薬剤情報提供システムに用いられる携帯電話機のブロック図である。
【図２】実施の形態の薬剤情報提供システムに用いられる処方薬剤選択補助装置のブロック図である。
【図３】実施の形態の薬剤情報提供システムに用いられる処方薬剤選択補助装置における薬剤情報、及び併用禁忌薬一覧等の表示例を示す図である。
【符号の説明】
【００６９】
１  アンテナ、２  通信回路、３  スピーカ部、４  マイクロホン部、５  表示部、６  操作部、７  発光部（ＬＥＤ）、８  カメラ部、９  バイブレーションユニット、１０  非接触通信アンテナ、１１  非接触ＩＣ部、１２  タイマ、１３  メモリ、１４  制御部、３１  非接触通信アンテナ、３２  非接触通信部、３３  併用禁忌薬情報データベース、３４  メモリ、３５  制御部、３６  出力部、３７  モニタ装置
【図１】
2007241404.tif 000003
【図２】
2007241404.tif 000004
【図３】
2007241404.tif 000005